【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
眼科用の手術用顕微鏡システムであって、
顕微鏡照明装置を備えた手術用顕微鏡（１０）と、対物レンズ側で前記手術用顕微鏡（１０）の前に配置される広角装置（２０）とを含んでおり、該広角装置（２０）は、該広角装置（２０）の観察対象側に配設された広角レンズ（２１）及び該広角レンズ（２１）の顕微鏡側に配設された画像正立用のプリズムユニット（２２）を有している
前記手術用顕微鏡システムであって、
前記広角装置（２０）は照明ユニット（２５）を有し、該照明ユニット（２５）は、前記広角レンズ（２１）の前に配置された観察対象（４０）を、照明光（２９）を用いて前記広角レンズ（２１）を通って照明するために設けられていること
を特徴とする手術用顕微鏡システム。
【請求項２】
前記広角装置（２０）はビームスプリッタ（２８）を有し、該ビームスプリッタ（２８）を用い、前記照明光（２９）が当該手術用顕微鏡システム（２００）の観察光線路（３０）内へ入射結合可能であること
を特徴とする、請求項１に記載の手術用顕微鏡システム。
【請求項３】
前記ビームスプリッタ（２８）は、部分透過性ミラーとして構成されていること
を特徴とする、請求項２に記載の手術用顕微鏡システム。
【請求項４】
前記部分透過性ミラーは、部分透過性プリズム面として構成されていること
を特徴とする、請求項３に記載の手術用顕微鏡システム。
【請求項５】
前記部分透過性ミラーの反射／透過比率は、６０対４０から９０対１０までの間の値を有すること
を特徴とする、請求項３又は４に記載の手術用顕微鏡システム。
【請求項６】
前記照明ユニット（２５）は、光源（２６）と、集光器及び／又は絞り器（２７）とを有すること
を特徴とする、請求項２〜５のいずれか一項に記載の手術用顕微鏡システム。
【請求項７】
前記光源（２６）は、光放出半導体素子及び／又はハロゲンランプを有すること
を特徴とする、請求項６に記載の手術用顕微鏡システム。
【請求項８】
前記広角装置（２０）及び／又は前記照明ユニット（２５）は、光トラップ及び／又は光ラビリンスを有すること
を特徴とする、請求項１〜７のいずれか一項に記載の手術用顕微鏡システム。
【請求項９】
前記広角装置（２０）及び／又は前記照明ユニット（２５）は、偏光フィルタ及び／又は吸収フィルタを有すること
を特徴とする、請求項１〜８のいずれか一項に記載の手術用顕微鏡システム。
【請求項１０】
前記照明ユニット（２５）は、少なくとも部分的に前記広角装置（２０）の組み込み構成部材として構成されていること
を特徴とする、請求項１〜９のいずれか一項に記載の手術用顕微鏡システム。
【請求項１１】
当該手術用顕微鏡システムは硝子体切除手術において使用されることを特徴とする、請求項１〜１０のいずれか一項に記載の手術用顕微鏡システム。
【請求項１２】
前記部分透過性ミラーは、画像正立用の前記プリズムユニット（２２）における部分透過性プリズム面として構成されていることを特徴とする、請求項３〜１１のいずれか一項に記載の手術用顕微鏡システム。
【請求項１３】
前記部分透過性ミラーの反射／透過比率は、８０対２０又は９０対１０の値を有することを特徴とする、請求項３〜１２のいずれか一項に記載の手術用顕微鏡システム。
【請求項１４】
請求項１〜１３のいずれか一項に記載の手術用顕微鏡システムのための照明ユニット（２５）であって、
前記手術用顕微鏡システムの手術用顕微鏡（１０）の前に配置される広角装置（２０）の一部分として構成されていること
を特徴とする照明ユニット。
【請求項１５】
請求項１〜１３のいずれか一項に記載の手術用顕微鏡システムのための広角装置（２０）であって、
前記手術用顕微鏡システムの手術用顕微鏡（１０）の前に配置されており且つ請求項１４に記載の照明ユニット（２５）を有すること
を特徴とする広角装置。
【手続補正２】
【補正対象書類名】明細書
【補正対象項目名】００２２
【補正方法】変更
【補正の内容】
【００２２】
即ち、本発明の一視点により、特に硝子体切除用のものである眼科用の手術用顕微鏡システムが提供される。この手術用顕微鏡システムは、顕微鏡照明装置を備えた手術用顕微鏡と、対物レンズ側で前記手術用顕微鏡の前に配置される広角装置とを含んでおり、該広角装置は、該広角装置の観察対象側に配設された広角レンズ及び該広角レンズの顕微鏡側に配設された画像正立用のプリズムユニットを有している。前記広角装置は照明ユニットを有し、該照明ユニットは、前記広角レンズの前に配置された観察対象を、照明光を用いて前記広角レンズを通って照明するために設けられている。
【手続補正３】
【補正対象書類名】明細書
【補正対象項目名】００４２
【補正方法】変更
【補正の内容】
【００４２】
上記のごとく、本発明において下記の好適な形態が可能である。尚、下記の各形態は本願の特許請求の範囲の各請求項に記載した各々の構成要件にも対応している。また本願の特許請求の範囲に付記されている図面参照符号は専ら本発明の理解の容易化のためのものであり、本発明を後続段落で説明する具体的な実施形態に限定するものではないことをここに付言する。
（形態１）上記一視点のとおり、特に硝子体切除用のものである眼科用の手術用顕微鏡システムであって、顕微鏡照明装置を備えた手術用顕微鏡と、対物レンズ側で前記手術用顕微鏡の前に配置される広角装置とを含んでおり、該広角装置は、該広角装置の観察対象側に配設された広角レンズ及び該広角レンズの顕微鏡側に配設された画像正立用のプリズムユニットを有している前記手術用顕微鏡システムにおいて、前記広角装置は照明ユニットを有し、該照明ユニットは、前記広角レンズの前に配置された観察対象を、照明光を用いて前記広角レンズを通って照明するために設けられていること。
（形態２）前記広角装置はビームスプリッタを有し、該ビームスプリッタを用い、前記照明光が当該手術用顕微鏡システムの観察光線路内へ入射結合可能であることが好ましい。
（形態３）前記ビームスプリッタは、部分透過性ミラーとして構成されていることが好ましい。
（形態４）前記部分透過性ミラーは、特に画像正立用の前記プリズムユニットにおける部分透過性プリズム面として構成されていることが好ましい。
（形態５）前記部分透過性ミラーの反射／透過比率は、６０対４０から９０対１０までの間の値、特に８０対２０又は９０対１０の値を有することが好ましい。
（形態６）前記照明ユニットは、光源と、集光器及び／又は絞り器とを有することが好ましい。
（形態７）前記光源は、光放出半導体素子及び／又はハロゲンランプを有することが好ましい。
（形態８）前記広角装置及び／又は前記照明ユニットは、光トラップ及び／又は光ラビリンスを有することが好ましい。
（形態９）前記広角装置及び／又は前記照明ユニットは、偏光フィルタ及び／又は吸収フィルタを有することが好ましい。
（形態１０）前記照明ユニットは、少なくとも部分的に前記広角装置の組み込み構成部材として構成されていることが好ましい。
（形態１１）当該手術用顕微鏡システムは硝子体切除手術において使用されることが好ましい。
（形態１２）前記手術用顕微鏡システムのための照明ユニットは、前記手術用顕微鏡システムの手術用顕微鏡の前に配置される広角装置の一部分として構成されていることが好ましい。
（形態１３）前記手術用顕微鏡システムのための広角装置は、前記手術用顕微鏡システムの手術用顕微鏡の前に配置されており且つ前記照明ユニットを有することが好ましい。